(57)【要約】【課題】  カメラ・モジュールを有する移動通信装置、およびカメラ・モジュールを有する移動通信装置を操作する方法を提供すること。【解決手段】  一実施形態では、この移動通信装置は、（１）主本体、および（２）主本体に結合され、主本体に対して引込めた位置と露出した位置の間で移動し、露出した位置で少なくとも１つの回転軸の周りで回転可能に構成されたカメラ・モジュールを備える。【選択図】  図１
2005304051.tif 000002
【特許請求の範囲】
【請求項１】
主本体と、
前記主本体に結合され、前記主本体に対して引込めた位置と露出した位置の間で移動し、前記露出した位置で少なくとも１つの回転軸の周りで回転可能であるように構成されたカメラ・モジュールとを備える、移動通信装置。
【請求項２】
前記カメラ・モジュールが、前記引込めた位置と前記露出した位置の間で移動するようになされた、請求項１に記載の移動通信装置。
【請求項３】
前記少なくとも１つの回転軸が、前記移動の方向に対して本質的に垂直である、請求項１に記載の移動通信装置。
【請求項４】
前記カメラ・モジュールが、前記露出した位置で少なくとも正面に向いた位置から背面に向いた位置に回転可能である、請求項１に記載の移動通信装置。
【請求項５】
前記カメラ・モジュールが、前記露出した位置で少なくとも２つの回転軸の周りで回転可能である、請求項１に記載の移動通信装置。
【請求項６】
前記２つの回転軸が本質的に垂直である、請求項５に記載の移動通信装置。
【請求項７】
前記カメラ・モジュールを前記引込めた位置に保持するためのユーザが解放可能な保持装置をさらに備える、請求項１に記載の移動通信装置。
【請求項８】
前記カメラ・モジュールを前記引込めた位置から前記露出した位置に自動的に押し出すばね機構をさらに備える、請求項１に記載の移動通信装置。
【請求項９】
前記カメラ・モジュールの前記主本体に対する位置を検出する検出手段を備える、請求項１に記載の移動通信装置。
【請求項１０】
少なくとも１つの格納されたプログラムを持つメモリ、および前記プログラムを実行することができるマイクロプロセッサを備え、前記検出手段が前記カメラ・モジュールの一定の位置を検出した場合に、前記プログラムが自動的に開始される、請求項９に記載の移動通信装置。
【請求項１１】
前記カメラ・モジュールに結合されたフラッシュをさらに備える、請求項１に記載の移動通信装置。
【請求項１２】
一定の遅延時間後に自動的に写真を撮るユーザが始動可能なセルフタイマ、および前記遅延時間の経過を示す表示器をさらに備える、請求項１に記載の移動通信装置。
【請求項１３】
前記表示器が発光ダイオード（ＬＥＤ）である、請求項１２に記載の移動通信装置。
【請求項１４】
カメラ・モジュールを取り付けるための取付手段を有する主本体と、
前記主本体への補助取付手段を有して、前記カメラ・モジュールが前記主本体に対して引込めた位置から露出した位置まで可動であり、前記露出した位置で少なくとも１つの回転軸の周りで回転可能であるカメラ・モジュールとを備える、移動通信装置。
【請求項１５】
前記主本体の前記取付手段が、前記カメラ・モジュールを前記引込めた位置から前記露出した位置まで移動させる手段、および前記カメラ・モジュールを前記露出した位置で少なくとも１つの回転軸の周りで回転させる手段を備える、請求項１４に記載の移動通信装置。
【請求項１６】
前記カメラ・モジュールを移動通信装置の補助取付手段に取り付ける取付手段と、
前記取付手段に結合されたカメラとを備え、前記カメラが前記移動通信装置の主本体に対して、引込めた位置から露出した位置まで可動であり、前記露出した位置で少なくとも１つの回転軸の周りで回転可能である、カメラ・モジュール。
【請求項１７】
カメラ・モジュールが一体化された移動通信装置の主本体に対して引込めた位置から露出した位置まで移動するように、ユーザが解放可能な保持装置を解放することによって前記カメラ・モジュールを展開すること、および
前記カメラ・モジュールを少なくとも１つの回転軸の周りで回転させることを含む、引込み可能回転可能なカメラ・モジュールを操作する方法。
【請求項１８】
前記カメラ・モジュールの前記主本体に対する位置を検出することをさらに含む、請求項１７に記載の方法。
【請求項１９】
前記検出が、前記カメラ・モジュールの回転方向を検出することを含む、請求項１８に記載の方法。
【請求項２０】
特定の用途のために前記移動通信装置のディスプレイを自動的に構成することをさらに含む、請求項１８に記載の方法。
【発明の詳細な説明】
【技術分野】
【０００１】
本発明は、一般に、無線通信を対象とし、より詳細には、移動通信装置用引込み可能回転可能なカメラ・モジュールおよびその操作方法を対象とする。
【背景技術】
【０００２】
移動電話など移動通信装置は、単に言語の通信だけでなく、ますます広範に使用されている。移動通信装置のユーザは、メッセージング・サービス、データ通信、電子メール、またはファックス・サービスなど多様な用途に使用することができる。
【０００３】
デジタル・イメージング装置の継続的な開発により、今日では、移動通信装置にデジタル・カメラを手ごろな価格で装備できるようになり、新しいマルチメディア・サービスのホストが提供されている。こうしたデジタル・カメラにより、一通話者がデジタル写真を撮り、その写真を周知のマルチメディア・メッセージ・システム（ＭＭＳ）によって他方に送信することができるようになった。それぞれカメラが装備されていれば、２つの移動通信装置の間でテレビ電話をかけることも可能である。ディスプレイは、デジタル写真の場合は表示機能、またはテレビ電話の場合は通話者どうしが相手を見ることができる機能のためのものであり、こうした応用例には切り離せない部分である。
【０００４】
その結果起こる問題は、カメラに対して異なる構成のディスプレイが、同じ装置でデジタル写真およびテレビ電話などのサービスをサポートするために必要とされることである。より具体的には、デジタル写真では、ディスプレイとカメラが反対方向に向き、テレビ電話では、同じ方向に向かなければならない。
【０００５】
この問題は、１つはディスプレイの方向と同じ向きで他方は反対向きの２つのカメラを移動通信装置に装備することによって解決することができる。２つのカメラを単一の移動通信装置で使用することは、たとえば、Ｋｕｒｏｄａの米国特許出願第２００３／００３６３６５号の名称「Ｐｏｒｔａｂｌｅ  Ｃｏｍｍｕｎｉｃａｔｉｏｎｓ  Ｔｅｒｍｉｎａｌ  ｗｉｔｈ  Ｃａｍｅｒａ  Ｃａｐａｂｌｅ  ｏｆ  Ｔａｋｉｎｇ  Ｐｉｃｔｕｒｅｓ」に教示されている。しかし、２つのカメラを使用することによって、移動通信装置が、かなりコスト高で複雑になる。
【０００６】
したがって、当技術分野に必要とされることは、移動通信装置にデジタル写真とテレビ電話の両方の機能をより低コストで提供する方法である。
【特許文献１】米国特許出願第２００３／００３６３６５号
【発明の開示】
【発明が解決しようとする課題】
【０００７】
本発明は、デジタル写真またはテレビ電話など、様々な用途またはサービスに柔軟に使用することができるイメージング手段を備えた移動通信装置を提供することによって、従来技術の上記の欠点に対処する。
【課題を解決するための手段】
【０００８】
従来技術の上記の欠点に対処するため、本発明は一態様で、カメラ・モジュールを有する移動通信装置、およびカメラ・モジュールを有する移動通信装置を操作する方法を提供する。一実施形態では、この移動通信装置は、（１）主本体、および（２）主本体に結合され、主本体に対して引込めた位置と露出した位置の間で移動し、露出した位置で少なくとも１つの回転軸の周りで回転可能であるように構成されたカメラ・モジュールを備える。
【０００９】
本発明は、他の態様で、移動通信装置を提供する。一実施形態では、この移動通信装置は、（１）カメラ・モジュールを取り付ける取付手段を有する主本体、および（２）主本体への補助取付手段を有して、カメラ・モジュールが主本体に対して引込めた位置から露出した位置まで可動であり、露出した位置で少なくとも１つの回転軸の周りで回転可能であるようになされたカメラ・モジュールを備える。
【００１０】
本発明は、他の態様で、カメラ・モジュールを提供する。一実施形態では、このカメラ・モジュールは、（１）カメラ・モジュールを移動通信装置の補助取付手段に取り付ける取付手段、および（２）取付手段に結合され、移動通信装置の主本体に対して引込めた位置から露出した位置まで可動であり、少なくとも１つの回転軸の周りで回転可能であるカメラを備える。
【００１１】
本発明は、他の態様で、引込み可能で回転可能なカメラ・モジュールを操作する方法を提供する。一実施形態では、この方法は、（１）カメラ・モジュールが引込めた位置から露出した位置まで移動通信装置の主本体に対して移動するように、ユーザが解放可能な保持装置を解放することによってカメラ・モジュールを展開すること、および（２）カメラ・モジュールを少なくとも１つの回転軸の周りで回転させることを含む。
【００１２】
上記は、当業者が以下の本発明の詳細な説明をより良く理解されるように、本発明の好ましい形態および代替形態の特徴についてやや大まかに概要を述べたものである。本発明のさらなる特徴を以下に述べるが、これは本発明の特許請求の範囲の主題をなすものである。当業者には理解されるように、開示した概念および特定の実施形態は、本発明の同じ目的を実施するため、他の構成を設計し、または変更を加えるための基礎として容易に使用することができる。当業者はまた、こうした等価の構成は本発明の広範な形態において本発明の精神および範囲から逸脱しないことも理解されたい。
【００１３】
本発明をより完全に理解するため、添付の図面と併せて、以下の説明を参照されたい。
【発明を実施するための最良の形態】
【００１４】
最初に図１を参照すると、引込み可能かつ回転可能なカメラ・モジュール２００を装備した移動電話１００が示されている。使用の際は、カメラ・モジュール２００は図１で示した露出した位置にある。カメラ・モジュール２００と結合されたカメラを使用しない場合は、カメラ・モジュール２００は移動電話１００の主本体１１０内に引込み可能である。この引込めた位置を参照番号２１０で示す。
【００１５】
この実施形態では、カメラ・モジュール２００は、フラッシュ１２４、およびセルフタイマ（図示せず）を備えており、セルフタイマは、発光ダイオード（ＬＥＤ）１２６に接続されて、セルフタイマの遅延時間の経過を示す。
【００１６】
カメラ・モジュール２００は、移動電話１００の正面に面したカメラ・モジュール２００のレンズ１２２を備えているところが示してあり、この正面はその上にディスプレイ１１２およびキーパッド１１４が配置された移動電話１００の側面として画定されている。これは、テレビ会議などの用途に適した通常の位置である。カメラ・モジュール２００を約１８０°回転させることによって、カメラ・モジュール２００は移動電話１００の背面に向く。これはデジタル写真を撮るのに適した位置である。
【００１７】
カメラ・モジュール２００は、図１では、移動電話１００の上面に取り付けられたところが示されている。カメラ・モジュール２００は当然、移動電話１００の側面または任意の位置に取り付けることができ、上記のように、その位置で、カメラ・モジュール２００を回転させて移動電話１００の正面または背面に向けることができる。
【００１８】
当然、本発明は移動電話に限定されるものではなく、パーソナル・デジタル・アシスタント（ＰＤＡ）、または移動デジタル・アシスタント（ＭＤＡ）、あるいは任意の他の従来技術または最近開発された移動通信装置に使用することもできる。
【００１９】
次に図２Ａおよび２Ｂに移ると、図１の移動電話１００が左側から示されており、カメラ・モジュール２００の回転運動がさらに示されている。図２Ａでは、カメラ・モジュール２００は正面の位置にある。図２Ｂでは、カメラ・モジュール２００が約１８０°回転され、カメラ・モジュール２００が移動電話１００の背面に向くようになされている。
【００２０】
次に図３に移ると、カメラ・モジュール２００の他の実施形態が示されている。この実施形態では、カメラ・モジュール２００は、本質的に互いに垂直の２つの回転軸の周りで回転可能である。こうするとカメラ・モジュール２００を、図１、２Ａ、および２Ｂで示したように、垂直軸の周りで単に回転させることはできないが、傾斜させて、水平の回転軸の周りで回転させることができる。カメラ・モジュールを前方および後方に傾ける位置をそれぞれ参照番号２２０および２３０で示す。
【００２１】
図３は、任意選択のばね３１０も非常に概略的な形で示しており、このばねによって、カメラ・モジュール２００を自動的に押し出し、露出した位置に移動させることができる。この目的で、任意選択のユーザが解放可能な保持装置３２０を設けて、ユーザがばねを解放するまで、ばねを圧縮した位置に保持することができる。代替形態では、電磁石、またはモータ、あるいはユーザが手で引き出すことによって、カメラ・モジュール２００を自動的に取り出すことができる。最後に、カメラ・モジュール２００が図１の移動電話１００から完全に取外し可能になった場合に、取付手段３３０をカメラ・モジュール２００に結合する。取付手段３３０は、移動電話１００の上または中に配置された対応する取付手段と解放可能に係合する。
【００２２】
次に図４に移ると、本発明の原理に従って実施される移動通信装置のための引込み可能回転可能なカメラ・モジュールを操作する方法の一実施形態の流れ図が示されている。この方法は、開始の工程４１０で開始され、ユーザはカメラを展開して、デジタル写真を撮ること、またはテレビ電話をかけることを望むことができる。
【００２３】
この方法は、工程４２０に進み、ユーザは、ユーザが解放可能な保持装置を解放することによってカメラを備えたカメラ・モジュールを展開する。これに応答してばねが延びて、カメラ・モジュールを、移動通信装置の主本体に対して引込めた位置から露出した位置まで移動させる。
【００２４】
次に工程４３０で、ユーザは、カメラ・モジュールを少なくとも１つの回転軸の周りで回転させる。次いで、任意選択の工程４４０で、検出器、具体的には電子的検出器が、恐らくカメラ・モジュールの回転方向を含む、移動通信装置の主本体に対するカメラ・モジュールの位置を検出する。次いで、カメラ・モジュールの電源のスイッチが自動的に入る。また、移動通信装置のディスプレイを、デジタル写真またはテレビ電話など、特定の用途のために構成することもできる。
【００２５】
次に、任意選択の工程４５０で、ユーザがデジタル写真を撮ろうとする場合に、フラッシュを始動させることができる。セルフタイマを使用して、自動的に写真を撮る前の遅延時間を計ることができる。遅延時間の経過は、ＬＥＤなど適切な表示器で示すことができ、遅延時間中に点滅の頻度を徐々に上げることができる。この方法は、終了の工程４６０で終了し、ユーザは表面的にカメラ・モジュールを主本体内の引込めた位置に戻す。
【００２６】
本発明を詳細に説明したが、当業者には理解されるように、本発明の広範な形態において、本発明の精神および範囲から逸脱することなく、本明細書に様々な変更、置き換え、および修正を加えることができる。
【図面の簡単な説明】
【００２７】
【図１】１つの回転軸の周りで回転可能な引込み可能なカメラ・モジュールを備え、本発明の原理に従って構成された移動通信装置の一実施形態を示す概略正面図である。
【図２】ＡおよびＢはカメラ・モジュールが正面（図２Ａ）および背面（図２Ｂ）位置にある、図１の移動通信装置を示す概略右側面図である。
【図３】２つの回転軸の周りで回転可能であり、本発明の原理に従って構成されたカメラ・モジュールの第２の実施形態を示す拡大概略側面図である。
【図４】本発明の原理に従って実施される移動通信装置のための引込み可能回転可能なカメラ・モジュールを操作する方法の一実施形態を示す流れ図である。
【図１】
2005304051.tif 000003
【図２】
2005304051.tif 000004
【図３】
2005304051.tif 000005
【図４】
2005304051.tif 000006